(57)【要約】      （修正有）【課題】ｅＳＡＴＡ又はＵＳＢのプラグを受けることが可能で、小型で、ＵＳＢ３．０規格との互換性を有するコネクタ・ソケットを提供する。【解決手段】ケーシング１０と、ｅＳＡＴＡ接点のセット２０と、ＵＳＢ接点のセット３０とを備え、ケーシング１０は、空洞部１１、および空洞部１１内に配置されている接点台座１２を有し、ｅＳＡＴＡ接点のセット２０は、接点台座１２上に取り付けられ、側方ｅＳＡＴＡ接点２１および中間ｅＳＡＴＡ接点２２を有し、中間ｅＳＡＴＡ接点２２は、側方ｅＳＡＴＡ接点２１間に配置され、接点台座１２上に取り付けられ、ＵＳＢ接点のセット３０は、ｅＳＡＴＡ接点のセット２０とは反対側の接点台座１２上に取り付けられ、複数の内側ＵＳＢ接点と、複数の外側ＵＳＢ接点３２とを有し、外側ＵＳＢ接点３２は、中間ｅＳＡＴＡ接点２２を介して信号を伝送するために中間ｅＳＡＴＡ接点２２をそれぞれ接続する。【選択図】図５
0003148335.tif 000002
【実用新案登録請求の範囲】
【請求項１】
ケーシングと、ｅＳＡＴＡ接点のセットと、ＵＳＢ接点のセットとを備え、
前記ケーシングはその中に画定されている空洞部、
および前記空洞部内に配置されている接点台座を有し、
前記接点台座上に取り付けられているｅＳＡＴＡ接点のセットは、導電性を有し、前記接点台座上に取り付けられている側方ｅＳＡＴＡ接点、および
導電性を有し、前記側方ｅＳＡＴＡ接点間に一列に配列され、前記接点台座上に取り付けられている中間ｅＳＡＴＡ接点を有し、
前記ｅＳＡＴＡ接点のセットとは反対側の前記接点台座上に取り付けられているＵＳＢ接点のセットは、導電性を有し、前記接点台座上に取り付けられている複数の内側ＵＳＢ接点、および
導電性を有し、前記接点台座上に取り付けられ、前記中間ｅＳＡＴＡ接点をそれぞれ接続している複数の外側ＵＳＢ接点を有する、
コネクタ・ソケット。
【請求項２】
前記空洞部が前方開口部を有し、
前記外側ＵＳＢ接点が、一列に配列され、前記前方開口部に近接している、
請求項１に記載のコネクタ・ソケット。
【請求項３】
前記空洞部の前記前方開口部が縁部を有し、該縁部が、段のあるセグメントを有し、
ＵＳＢプラグに対応するようになされているＵＳＢプラグ・アウトラインと、ｅＳＡＴＡプラグに対応するようになされているｅＳＡＴＡプラグ・アウトラインとを形成している、請求項２に記載のコネクタ・ソケット。
【請求項４】
それぞれの中間ｅＳＡＴＡ接点が、前方端部を有し、
前記外側ＵＳＢ接点が、前記ｅＳＡＴＡ接点の前記前方端部上にそれぞれ形成され、前記ｅＳＡＴＡ接点の前記前方端部から横方向に突出している、
請求項１に記載のコネクタ・ソケット。
【請求項５】
それぞれの中間ｅＳＡＴＡ接点が、前記空洞部の前記前方開口部に近接した前方端部を有し、
前記外側ＵＳＢ接点が、前記ｅＳＡＴＡ接点の前記前方端部上にそれぞれ形成され、前記ｅＳＡＴＡ接点の前記前方端部から横方向に突出している、
請求項２または３に記載のコネクタ・ソケット。
【請求項６】
それぞれの中間ｅＳＡＴＡ接点が、前方端部と、前記前方端部上に形成され、前記前方端部から下方に傾斜して突出している拡張部とを有し、それぞれの外側ＵＳＢ接点が、前記接点台座上に取り外しできるように取り付けられ、対応する中間ｅＳＡＴＡ接点の拡張部に隣接している、請求項１に記載のコネクタ・ソケット。
【請求項７】
それぞれの中間ｅＳＡＴＡ接点が、前記空洞部の前記前方開口部に近接した前方端部と、前記前方端部上に形成され、前記前方端部から下方に傾斜して突出している拡張部とを有し、それぞれの外側ＵＳＢ接点が、前記空洞部の前記前方開口部に近接した前記接点台座上に取り外しできるように取り付けられ、対応する中間ｅＳＡＴＡ接点の拡張部に隣接している、請求項２または３に記載のコネクタ・ソケット。
【考案の詳細な説明】
【技術分野】
【０００１】
本考案は、コネクタ・ソケットに関し、特に、ｅＳＡＴＡ（External Serial ATA）またはＵＳＢ（Universal Serial Bus）のプラグを受けることが可能で、小型であり、ＵＳＢ３．０規格と互換性を有するコネクタ・ソケットに関する。
【背景技術】
【０００２】
技術の開発により、電子工学製品は、広く日常生活に使用され、データ伝送ケーブルを通じて互いに通信することが可能である。
そして、それぞれの電子工学製品は、その中に差し込むためのデータ伝送ケーブルのコネクタ用の少なくとも１つのコネクタ・ソケットを有する。少なくとも１つのコネクタ・ソケットのタイプは、ＵＳＢ（Universal Serial Bus）またはｅＳＡＴＡ（External Serial Advanced Technology Attachment）とすることができる。
【０００３】
図９を参照すると、従来のコネクタ・ソケットは、ＵＳＢおよびｅＳＡＴＡの両方のインターフェースを有するように開発され、ケーシング（５０）、接点台座（５１）、ＵＳＢ２．０接点のセット（５２）、およびｅＳＡＴＡ接点のセット（５３）を有する。
ＵＳＢ２．０接点のセット（５２）は、接点台座（５１）の底面上に取り付けられ、ＵＳＢ２．０プラグと互換性を有する４つのＵＳＢ接点（５２０）を有する。
ｅＳＡＴＡ接点のセット（５３）は、ＵＳＢ２．０接点のセット（５２）とは反対側の接点台座（５１）の上面上に取り付けられ、ｅＳＡＴＡプラグと互換性を有する７つのｅＳＡＴＡ接点（５３０）を有する。
したがって従来のコネクタ・ソケットは、ＵＳＢ２．０プラグまたはｅＳＡＴＡプラグに接続されるようになされている。
【０００４】
しかしながら、データ伝送速度の要求がますます高くなるにつれて、ＵＳＢ２．０プラグの速度は、外部デバイス間の高速伝送を支持するのには不十分である。したがってＵＳＢ規格は、ＵＳＢ３．０のより高いバージョンで開発されている。
【０００５】
図１０を参照すると、標準ＵＳＢ３．０プラグ（４０）は、ＵＳＢ２．０およびＵＳＢ１．１と後方互換性を有するように設計され、空洞部（４１）、複数の後方接点（４３）、および複数の前方接点（４２）を有する。
空洞部（４１）は、前方開口部を有する。後方接点（４３）は、空洞部（４１）内に取り付けられ、一列に配列されている。
前方接点（４２）は、前方開口部にさらに近接して空洞部（４１）内に取り付けられ、一列に配列されている。ＵＳＢ３．０プラグは、非常に多くの接点を有するので、４．８Ｇｂｐｓまでデータ伝送を加速することができる。
【０００６】
ＵＳＢ３．０プラグ（４０）は、ＵＳＢ２．０コネクタ・ソケットと互換性を有するが、コネクタ・ソケットが、それほど多くの接点を有していないので、ＵＳＢ２．０コネクタ・ソケットでは、ＵＳＢ３．０の全伝送速度を実行することは不可能である。
したがって、前述の従来のコネクタ・ソケットは、ＵＳＢ３．０プラグに接続している間、伝送速度を制限することになり、時間の消費につながる。
【０００７】
これらの弱点を克服するために、本考案は、先に述べた問題点を緩和または解消するためのコネクタ・ソケットを提供するものである。
【考案の開示】
【考案が解決しようとする課題】
【０００８】
本考案の主な目的は、ｅＳＡＴＡ（External Serial ATA）またはＵＳＢ（Universal Serial Bus）のプラグを受けることが可能であり、小型であり、ＵＳＢ３．０規格と互換性を有するコネクタ・ソケットを提供することである。
【課題を解決するための手段】
【０００９】
このコネクタ・ソケットは、ケーシングと、ｅＳＡＴＡ接点のセットと、ＵＳＢ接点のセットとを備える。ケーシングは、空洞部、および空洞部内に配置されている接点台座を有する。ｅＳＡＴＡ接点のセットは、接点台座上に取り付けられ、側方ｅＳＡＴＡ接点および中間ｅＳＡＴＡ接点を有する。側方ｅＳＡＴＡ接点は、接点台座上に取り付けられている。中間ｅＳＡＴＡ接点は、側方ｅＳＡＴＡ接点間に配置され、接点台座上に取り付けられている。ＵＳＢ接点のセットは、ｅＳＡＴＡ接点のセットとは反対側の接点台座上に取り付けられ、複数の内側ＵＳＢ接点と、複数の外側ＵＳＢ接点とを有する。内側ＵＳＢ接点は、接点台座上に取り付けられている。外側ＵＳＢ接点は、接点台座上に取り付けられ、中間ｅＳＡＴＡ接点を介して信号を伝送するために中間ｅＳＡＴＡ接点をそれぞれ接続する。したがってコネクタ・ソケットは、ｅＳＡＴＡおよびＵＳＢ３．０と互換性を有し、単一の接点台座を伴う小型のものである。
【００１０】
本考案の他の目的、利点、および新規の特徴は、添付の図面と併用されると、以下の詳細な説明からより明らかになるであろう。
【考案を実施するための最良の形態】
【００１１】
図１、２、５、および６を参照すると、本考案によるコネクタ・ソケットは、ケーシング（１０）と、ｅＳＡＴＡ接点のセット（２０）と、ＵＳＢ接点のセット（３０）とを備える。
【００１２】
ケーシング（１０）は、空洞部（１１）および接点台座（１２）を有する。空洞部（１１）は、ケーシング（１０）内に画定され、前方開口部を有することが可能である。
前方開口部は、段のあるセグメントを有し、ＵＳＢプラグ・アウトライン（１３）と、ｅＳＡＴＡプラグ・アウトライン（１４）とを形成している縁部を有することが可能である。
ＵＳＢプラグ・アウトライン（１３）は、ＵＳＢプラグに対応するようになされ、ＵＳＢプラグが、それを通じて空洞部（１１）内にしっかりと取り付けられることを可能にする。
ｅＳＡＴＡプラグ・アウトライン（１４）は、ｅＳＡＴＡプラグに対応するようになされ、ｅＳＡＴＡプラグが、それを通じて空洞部（１１）内にしっかりと取り付けられることを可能にし、ＵＳＢプラグ・アウトライン（１３）より広くなることが可能である。接点台座（１２）は、空洞部（１１）内に配置され、上面、および上面とは反対側の底面を有することが可能である。
【００１３】
ｅＳＡＴＡ接点のセット（２０）は、接点台座（１２）上に取り付けられ、側方ｅＳＡＴＡ接点（２１）および中間ｅＳＡＴＡ接点（２２）を有する。側方ｅＳＡＴＡ接点（２１）は、導電性を有し、接点台座（１２）上に取り付けられている。中間ｅＳＡＴＡ接点（２２）は、導電性を有し、側方ｅＳＡＴＡ接点（２１）間に一列に配列され、接点台座（１２）上に取り付けられている。それぞれの中間ｅＳＡＴＡ接点（２２）は、前方端部と、拡張部（２３）とを有することが可能である。前方端部は、空洞部（１１）の前方開口部に近接していることが可能である。拡張部（２３）は、前方端部上に形成され、その端部から下方に傾斜して突出している。
【００１４】
ＵＳＢ接点のセット（３０）は、ｅＳＡＴＡ接点のセット（２０）とは反対側の接点のセット（１２）上に取り付けられ、複数の内側ＵＳＢ接点（３１）および複数の外側ＵＳＢ接点（３２）を有する。内側ＵＳＢ接点（３１）は、導電性を有し、接点台座（１２）上に取り付けられる。外側ＵＳＢ接点（３２）は、導電性を有し、接点台座（１２）上に取り付けられ、一列に配列され、前方開口部に近接し、中間ｅＳＡＴＡ接点（２２）をそれぞれ接続する。外側ＵＳＢ接点（３２）は、中間ｅＳＡＴＡ接点（２２）を介してデータを伝送し、内側ＵＳＢ接点（３１）と協働して、ＵＳＢ３．０プラグと互換性を有し、データ伝送速度を加速する。
【００１５】
さらに図３および４を参照すると、外側ＵＳＢ接点（３２）は、中間ｅＳＡＴＡ接点（２２）の前方端部上にそれぞれ形成可能であり、その端部から横方向に突出している。さらに図７および８を参照すると、それぞれの外側ＵＳＢ接点（３２）は、前方開口部に近接して接点台座（１２）上に取り外しできるように取り付け可能であり、対応する中間ｅＳＡＴＡ接点（２２）の拡張部に隣接している。
【００１６】
図１０を参照すると、ＵＳＢ３．０プラグ（４０）が本考案のコネクタ・ソケット内に取り付けられた場合、接点台座（１２）は、ＵＳＢ３．０プラグ（４０）の空洞部（４１）内に延在する。そして、ＵＳＢ３．０プラグ（４０）の前方接点（４２）は、コネクタ・ソケットの内側ＵＳＢ接点（３１）をそれぞれ接続する。後方接点（４３）は、外側ＵＳＢ接点（３２）をそれぞれ接続する。したがってコネクタ・ソケットは、ＵＳＢ３．０の全伝送速度を実行する。そして、その間、側方ｅＳＡＴＡ接点（２１）は使用されない。一方、ＵＳＢプラグが取り外され、ｅＳＡＴＡプラグがｅＳＡＴＡプラグ・アウトライン（１４）を通じてコネクタ・ソケット内に取り付けられた場合、この間、内側ＵＳＢ接点（３１）は使用されない。
【００１７】
要するに、コネクタ・ソケットは、ＵＳＢおよびｅＳＡＴＡのプラグと互換性を有し、さらに３．０バージョンでＵＳＢプラグと互換性を有する。さらには、コネクタ・ソケットは、中間ｅＳＡＴＡ接点が外側ＵＳＢ接点（３２）と伝送経路を共有しているので、単一の接点台座（１２）を小型の状態に保つ。
【００１８】
本考案の多数の特徴および利点が、本考案の構造および特徴の詳細とともに上述の説明に記述されているが、これらの開示は一例にすぎない。添付の請求の範囲を表現している文言の広範で一般的な意味によって示される最大の範囲まで、本考案の原理の範囲内で、細部において、特に部品の形、大きさ、および配列について、変更を行うことができる。
【図面の簡単な説明】
【００１９】
【図１】本考案によるコネクタ・ソケットの第１の実施形態の斜視図である。
【図２】図１のコネクタ・ソケットの正面図である。
【図３】図１のコネクタ・ソケットのｅＳＡＴＡ接点のセットおよびＵＳＢ接点のセットの斜視図である。
【図４】図３のｅＳＡＴＡ接点のセットおよびＵＳＢ接点のセットの正面図である。
【図５】本考案によるコネクタ・ソケットの第２の実施形態の分解斜視図である。
【図６】図５のコネクタ・ソケットの部分断面の側方図である。
【図７】図５のコネクタ・ソケットのｅＳＡＴＡ接点のセットおよびＵＳＢ接点のセットの斜視図である。
【図８】図７のｅＳＡＴＡ接点のセットおよびＵＳＢ接点のセットの側方図である。
【図９】従来技術による従来のコネクタ・ソケットの正面図である。
【図１０】従来技術による標準ＵＳＢ３．０コネクタの斜視図である。
【符号の説明】
【００２０】
１０  ケーシング
１１  空洞部
１２  接点台座
１３  ＵＳＢプラグ・アウトライン
１４  ｅＳＡＴＡプラグ・アウトライン
２０  ｅＳＡＴＡ接点のセット
２１  側方ｅＳＡＴＡ接点
２２  中間ｅＳＡＴＡ接点
２３  拡張部
３０  ＵＳＢ接点のセット
３１  複数の内側ＵＳＢ接点
３２  外側ＵＳＢ接点
４０  ＵＳＢ３．０プラグ
４１  空洞部
４２  前方接点
４３  後方接点
５０  ケーシング
５１  接点台座
５２  ＵＳＢ２．０接点のセット
５３  ｅＳＡＴＡ接点のセット
５２０  ＵＳＢ接点
５３０  ｅＳＡＴＡ接点
【図１】
0003148335.tif 000003
【図２】
0003148335.tif 000004
【図３】
0003148335.tif 000005
【図４】
0003148335.tif 000006
【図５】
0003148335.tif 000007
【図６】
0003148335.tif 000008
【図７】
0003148335.tif 000009
【図８】
0003148335.tif 000010
【図９】
0003148335.tif 000011
【図１０】
0003148335.tif 000012